(57)【要約】【課題】  入居者が転倒したことをできる限り正確に判定して管理人へ知らせる。【解決手段】  加速度センサ１２から出力された加速度情報が記憶部１４に予め記憶しておいた基準加速度情報の値以上であると判断した場合には、脈拍判定部１６は、脈拍センサ１３から出力された入居者の単位時間あたりの脈拍情報と記憶部１４に予め記憶しておいた基準脈拍情報とを比較する。脈拍センサ１３から出力された入居者の単位時間あたりの脈拍情報が記憶部１４に予め記憶しておいた基準脈拍情報の値よりも大きい場合には、入居者が走っており転倒していないと判断して、脈拍判定部１６による判定処理を終了する。一方、脈拍センサ１３から出力された入居者の単位時間あたりの脈拍情報が記憶部１４に予め記憶しておいた基準脈拍情報の値以下である場合には、入居者が転倒していると判断して、監視装置３０へ呼出信号を送信している。【選択図】        図１
2010108368.tif 000002
【特許請求の範囲】
【請求項１】
入居者に装着され、前記入居者の動きの度合いを示す加速度を測定して加速度情報として出力する加速度センサと、
前記入居者に装着され、前記入居者の単位時間あたりの脈拍数を測定して脈拍情報として出力する脈拍センサと、
前記入居者が転倒したことを知らせるための呼出信号を外部へ送信する送信部と、
前記加速度センサから出力された前記加速度情報が所定の値以上であるか否かを判定する加速度判定部と、
前記加速度センサから出力された前記加速度情報が所定の値以上であると前記加速度判定部にて判断した場合に、前記加速度情報が所定の値以上になった時点で前記脈拍センサから出力された前記脈拍情報と常態における前記入居者の前記単位時間あたりの脈拍数を示す値とを比較して、前記入居者の前記単位時間あたりの脈拍数が上昇しているか否かを判定する脈拍判定部と、
前記入居者の前記単位時間あたりの前記脈拍数が上昇していないと前記脈拍判定部にて判断した場合に、前記呼出信号を生成して、生成した前記呼出信号を前記送信部により送信させる制御部と、
を備えたことを特徴とする無線端末。
【発明の詳細な説明】
【技術分野】
【０００１】
本発明は、高齢者用住宅などに居住する入居者の行動を検出する無線端末に関し、特に入居者が転倒したことを知らせる無線端末に関する。
【背景技術】
【０００２】
従来、核家族化などの進行により、高齢者のみが居住する住宅が増えている。また、このような高齢者が居住する住宅を集めて、管理人室などにより管理する集合住宅が知られている。
【０００３】
ところで、高齢者用住宅では、入居者が高齢であるため、立ち上がったり歩いたりした場合に、入居者が足を踏み外して転倒してしまうことがあった。このように、入居者が転倒すると、転倒の勢いで入居者の体が床や壁、家具などに打ち付けられてしまうことがあった。また、打ち付けられた体の部位によっては、入居者が負傷してしまい、管理人や他の入居者が転倒に気づくまで放置され続けてしまうことがあった。
【０００４】
そこで、入居者の動きを検出して、入居者が転倒した場合にその旨を知らせる技術が知られている（例えば、特許文献１など）。特許文献１に記載の患者異常通知システムでは、患者に作用する加速度を検出する加速度センサを備えた携帯型発信機を患者に装着し、所定のしきい値を超える加速度を加速度センサが検出した場合に、携帯型発信機は、患者に異常が生じていることを知らせるための異常検出信号を無線で送信する。そして、受信機を介して異常検出信号を受信した集中監視装置は、患者に異常が生じた旨を異常通知画面に表示する。これにより、加速度センサが検出した加速度が所定のしきい値を超えれば、患者が転倒したり、患者がベッドから転落したり、患者の身体が急激に移動したり、患者の身体に過度の衝撃が加わったりするなどといった異常が患者に生じたことを、集中監視装置は、看護師や医師などに迅速に通知することができる。
【特許文献１】特開２００８−０４７０９７号公報
【０００５】
ところで、特許文献１に記載の患者異常通知システムを高齢者が居住する住宅にて適用すると、入居者に作用する加速度（換言すると、入居者の動きの度合いを示す加速度）を加速度センサにて検出し、加速度センサにて検出した加速度が所定のしきい値を超えた場合に、入居者に異常が生じたと携帯型発信機にて判断して異常検出信号を無線で送信する。そして、異常検出信号を受信した集中監視装置は、入居者に異常が生じたことを管理人などに知らせることができる。しかしながら、このような場合において、入居者が転倒したときだけではなく、入居者が激しい運動（例えば、走るなどの運動）を行っているときでも、加速度が所定のしきい値を超えてしまえば、携帯型発信機は、入居者に異常が生じたと判断して異常検出信号を無線で送信してしまっていた。このことから、特許文献１に記載の患者異常通知システムでは、入居者が正常であっても、入居者に異常が生じたという誤報が行われてしまうことがあるという問題があった。
【発明の開示】
【発明が解決しようとする課題】
【０００６】
本発明は、このような課題を解決するために成されたものであり、入居者が転倒したことをできる限り正確に判定して管理人へ知らせることを目的とする。
【課題を解決するための手段】
【０００７】
上述した課題を解決するために、本発明の無線端末では、入居者の動きの度合いを示す加速度を測定して加速度情報として出力する加速度センサと入居者の単位時間あたりの脈拍数を測定して脈拍情報として出力する脈拍センサとを備え、加速度センサから出力された加速度情報が所定の値を超えた場合に、その時点の脈拍情報と常態における単位時間あたりの脈拍数を示す値とを比較する。比較した結果、単位時間あたりの脈拍数が上昇していない場合に、入居者が転倒したことを知らせるための呼出信号を外部へ送信するようにしている。
【発明の効果】
【０００８】
上記のように構成した本発明によれば、入居者が走ると、その入居者の脈拍数が上昇することに基づき、加速度センサが出力した加速度情報が所定の値以上であっても、入居者の脈拍数が上昇した場合には、入居者が走っており、転倒していないと判断されて呼出信号の送信が行われない。一方、入居者の脈拍数が上昇していない場合には、入居者が転倒していると判断されて呼出信号の送信が行われる。これにより、入居者が転倒したことをできる限り正確に判定して管理人へ知らせることができる。
【発明を実施するための最良の形態】
【０００９】
以下、本発明の一実施形態を図面に基づいて説明する。本実施形態による無線端末を含む監視システムの構成例を示すブロック図を図１に示す。同図に示すように、監視システムは、無線端末１０、受信機２０、監視装置３０を備えて構成されている。
【００１０】
また、無線端末１０は、制御部１１、加速度センサ１２、脈拍センサ１３、記憶部１４、加速度判定部１５、脈拍判定部１６、インターフェース（以下、Ｉ／Ｆとする）部（特許請求の範囲の送信部に該当する）１７を備えて構成されている。また、監視装置３０は、監視装置用制御部３１、監視装置用インターフェース（以下、Ｉ／Ｆとする）部３２、報知部３３を備えて構成されている。
【００１１】
図１において、無線端末１０は、高齢者用住宅などに居住する入居者によって常に携行されるものであり、後述の処理にて入居者が転倒したと判断した場合に、入居者が転倒したことを知らせるための呼出信号を出力する。ここで、各入居者が無線端末１０を携行しているので、高齢者用住宅などでは、複数の無線端末１０が使用されている。また、複数の無線端末１０は、受信機２０と無線通信可能である。また、無線端末１０のそれぞれには、自装置を識別するための端末識別情報（例えば、端末番号など）が割り振られている。受信機２０は、無線端末１０から送信された呼出信号を受信するためのものである。無線端末１０から呼出信号が送信された場合に、受信機２０は、その呼出信号を受信して監視装置３０へ出力する。ここで、受信機２０は、所定の範囲の呼出信号を受信するため、高齢者用住宅内のどの場所からでも無線端末１０からの呼出信号を受信することができるような間隔で複数設置されている。また、受信機２０のそれぞれには、自装置を識別するための受信機識別情報（例えば、受信機番号など）が割り振られている。また、受信機２０は、監視装置３０へ呼出信号を出力する。この際に、受信機２０は、受信した呼出信号に自装置の受信機識別情報を含ませる。監視装置３０は、管理人が居る部屋（例えば、管理人室など）に設置されており、入居者の動きを監視するためのものである。監視装置３０は、無線端末１０からの呼出信号を受信機２０を介して入力した場合に、入居者が転倒したことを後述の報知部３３にて報知させる。ここで、監視装置３０には、複数の受信機２０が接続されている。
【００１２】
制御部１１は、無線端末１０の各構成要素を後述するように制御する。加速度センサ１２は、入居者の動きの度合いを示す加速度を測定して加速度情報として制御部１１へ出力するものであり、無線端末１０を携行する入居者に装着される。ここで、加速度センサ１２の構造や加速度センサ１２による加速度の測定処理は、周知の技術を用いる。脈拍センサ１３は、入居者の単位時間あたりの脈拍数を測定して脈拍情報として制御部１１へ出力するものであり、無線端末１０を携行する入居者に装着される。ここで、脈拍センサ１３の構造や脈拍センサ１３による脈拍数の測定処理は、周知の技術を用いる。また、単位時間あたりの脈拍数とは、予め設定しておいた間（例えば、１分間など）に測定した脈拍数を示すものである。
【００１３】
記憶部１４は、後述の加速度判定部１５にて実行する判定処理で使用される加速度情報のしきい値（特許請求の範囲の所定の値に該当する）を示す基準加速度情報と後述の脈拍判定部１６にて実行する判定処理で使用される常態における入居者の単位時間あたりの脈拍数を示す基準脈拍情報と端末識別情報とを予め記憶しておくものである。ここで、加速度情報のしきい値とは、入居者が転倒したことを判定するために必要とする最低限の加速度情報の値を示すものである。また、常態における単位時間あたりの脈拍数とは、通常の状態での単位時間あたりの脈拍数を示すものである。また、基準加速度情報および基準脈拍情報は、管理人により記憶部１４に予め記憶されている。なお、基準脈拍情報を記憶させる際に、管理人は、図示しない入力部を使用して通常の状態での入居者の単位時間あたりの脈拍数を直接入力して記憶部１４に記憶させるようにしても良いし、通常の状態で脈拍センサ１３にて測定した入居者の単位時間あたりの脈拍数を基準脈拍情報として記憶部１４に記憶させるようにしても良い。
【００１４】
加速度判定部１５は、加速度センサ１２から出力された加速度情報がしきい値以上であるか否かを判定する。ここで、自装置の電源が入れられると、制御部１１が加速度センサ１２から出力された加速度情報を随時取得するため、加速度判定部１５による判定処理は、制御部１１が加速度センサ１２から出力された加速度情報を取得する度に実行される。また、自装置の電源が入れられた際に、制御部１１は、記憶部１４に予め記憶しておいた基準加速度情報を取得する。また、加速度判定部１５は、制御部１１にて取得した各情報から、加速度センサ１２から出力された加速度情報が記憶部１４に予め記憶しておいた基準加速度情報の値以上であるか否かを判定する。
【００１５】
加速度センサ１２から出力された加速度情報が記憶部１４に予め記憶しておいた基準加速度情報の値以上ではないと加速度判定部１５にて判断した場合に、加速度判定部１５は、入居者が転倒したことを判定するために必要とされる最低限の加速度情報に加速度センサ１２から出力された加速度情報が達していないと判断する。そして、制御部１１は、加速度判定部１５に対してこの判定処理を繰り返し実行させる。
【００１６】
一方、加速度センサ１２から出力された加速度情報が記憶部１４に予め記憶しておいた基準加速度情報の値以上であると加速度判定部１５にて判断した場合に、加速度判定部１５は、入居者が転倒したことを判定するために必要とされる最低限の加速度情報に加速度センサ１２から出力された加速度情報が達したと判断する。
【００１７】
脈拍判定部１６は、加速度センサ１２から出力された加速度情報が記憶部１４に予め記憶しておいた基準加速度情報の値以上であると加速度判定部１５にて判断した場合に動作する。また、脈拍判定部１６が動作を開始することに併せて、制御部１１は、脈拍センサ１３から出力された入居者の単位時間あたりの脈拍情報を取得し、記憶部１４に予め記憶しておいた基準脈拍情報を取得する。そして、脈拍判定部１６は、脈拍センサ１３から出力された入居者の単位時間あたりの脈拍情報と記憶部１４に予め記憶しておいた基準脈拍情報とを比較する。
【００１８】
比較した結果、脈拍センサ１３から出力された入居者の単位時間あたりの脈拍情報が記憶部１４に予め記憶しておいた基準脈拍情報の値よりも大きいと脈拍判定部１６にて判断した場合に、制御部１１は、脈拍判定部１６による判定処理を終了させる。一方、脈拍センサ１３から出力された入居者の単位時間あたりの脈拍情報が記憶部１４に予め記憶しておいた基準脈拍情報の値以下であると脈拍判定部１６にて判断した場合に、制御部１１は、呼出信号を生成する。ここで、呼出信号は、転倒した入居者を特定するための端末識別情報を含む。
【００１９】
本発明では、入居者が走るとその入居者の脈拍数が時間の経過に応じて上昇することに基づいて、入居者が転倒したか否かを判定している。これにより、脈拍センサ１３から出力された入居者の単位時間あたりの脈拍情報が記憶部１４に予め記憶しておいた基準脈拍情報の値以下であれば、制御部１１は、転倒を知らせるための動作を行っている。
【００２０】
Ｉ／Ｆ部１７は、無線端末１０が受信機２０との間で無線通信するために図示しない受信機用インターフェース（以下、Ｉ／Ｆとする）部に接続されている。ここで、Ｉ／Ｆ部１７は、制御部１１にて生成された呼出信号を受信機２０へ送信する。
【００２１】
また、無線端末１０は、呼出信号を送信すると転倒を検出するための処理（換言すると、加速度判定部１５の判定処理および脈拍判定部１６の判定処理）を実行しない状態となる。そのため、無線端末１０は、図示しないリセット操作部（例えば、リセットボタンなど）を備えている。呼出信号を送信した後、制御部１１は、入居者の状態を確認した管理人などによりリセット操作部が操作されたか否かを判定する。リセット操作部が操作されたと制御部１１にて判断した場合に、制御部１１は、自装置の動作をリセットして、転倒を検出するための処理を実行する状態に戻す。
【００２２】
監視装置用制御部３１は、監視装置３０の各構成要素を後述するように制御する。監視装置用Ｉ／Ｆ部３２は、監視装置３０が受信機２０との間で通信するために図示しない受信機用Ｉ／Ｆ部に接続されている。また、監視装置用Ｉ／Ｆ部３２は、受信機２０から出力された呼出信号を入力する。
【００２３】
報知部３３は、スピーカや表示ディスプレイ、表示灯などにより構成されており、入居者が転倒している場合には、スピーカから音を出力させたり、表示ディスプレイに表示を行わせたり、表示灯を点灯または点滅させたりして、入居者が転倒していることを報知する。ここで、報知部３３は、呼出信号に含まれている端末識別情報および受信機識別情報により呼出信号を送信した無線端末１０を携行する入居者の氏名やその無線端末１０からの呼出信号を受信した受信機２０が設置されている場所を表示させながら、入居者が転倒していることを報知する。
【００２４】
監視装置用制御部３１は、監視装置用Ｉ／Ｆ部３２が受信機２０から出力された呼出信号を入力したか否かを判定する。監視装置用Ｉ／Ｆ部３２が受信機２０から出力された呼出信号を入力したと監視装置用制御部３１にて判断した場合に、監視装置用制御部３１は、入力した呼出信号に含まれる端末識別情報および受信機識別情報を取得する。ここで、監視装置３０は、入居者が携行する無線端末１０の端末識別情報と入居者を識別するための入居者情報（例えば、入居者氏名など）とを対応付けて記憶するとともに、高齢者用住宅内に設置されている受信機２０の受信機識別情報と受信機２０が設置されている場所を示す場所情報（例えば、二階廊下など）とを対応付けて記憶する監視装置用記憶部（図示せず）を備えている。監視装置用制御部３１は、監視装置用記憶部を参照し、取得した端末識別情報に対応付けて記憶されている入居者情報を取得して呼出信号を送信した無線端末１０を携行する入居者を特定する。また、監視装置用制御部３１は、監視装置用記憶部を参照し、取得した受信機識別情報に対応付けて記憶されている場所情報を取得して呼出信号を受信した受信機２０が設置されている場所を特定する。
【００２５】
そして、監視装置用制御部３１は、報知部３３を動作させて、入居者が転倒していることを報知するとともに、転倒した入居者の氏名や呼出信号を受信した受信機２０が設置されている場所を報知部３３の表示ディスプレイなどに表示させる。
【００２６】
また、監視装置３０には、報知を停止させるための図示しない監視装置用リセット操作部（例えば、監視装置用リセットボタン）が設けられている。監視装置３０が報知を行っている場合、監視装置用制御部３１は、監視装置用リセット操作部が操作されたか否かを判定する。監視装置用リセット操作部が操作されたと監視装置用制御部３１にて判断した場合に、監視装置用制御部３１は、報知部３３の動作を停止させる。
【００２７】
次に、本実施形態による無線端末１０を含む監視システムの動作を説明する。図２は、本実施形態による無線端末を含む監視システムの動作を示すフローチャートである。ここで、無線端末１０が入居者により携行される際に、制御部１１は、監視システムの動作を実現するために、基準加速度情報および基準脈拍情報を記憶部１４に記憶させる。まず、制御部１１は、加速度センサ１２を動作させて、入居者の動きの度合いを示す加速度を測定するとともに、脈拍センサ１３を動作させて、入居者の単位時間あたりの脈拍数を測定する（ステップＳ１）。
【００２８】
加速度センサ１２は、測定した加速度を加速度情報として出力し、制御部１１は、加速度センサ１２から出力された加速度情報を取得する。また、制御部１１は、基準加速度情報を記憶部１４から取得し（ステップＳ２）、加速度判定部１５を動作させる。加速度判定部１５は、加速度センサ１２から出力された入居者の加速度情報が基準加速度情報の値以上であるか否かを判定する（ステップＳ３）。加速度センサ１２から出力された入居者の加速度情報が基準加速度情報の値以上ではないと加速度判定部１５にて判断した場合には（ステップＳ３にてＮＯ）、ステップＳ１の処理に戻る。一方、加速度センサ１２から出力された入居者の加速度情報が基準加速度情報の値以上であると加速度判定部１５にて判断した場合には（ステップＳ３にてＹＥＳ）、制御部１１は、脈拍判定部１６を動作させるとともに、脈拍センサ１３から出力された入居者の単位時間あたりの脈拍情報を取得し、基準脈拍情報を記憶部１４から取得する（ステップＳ４）。
【００２９】
脈拍判定部１６は、脈拍センサ１３から出力された入居者の単位時間あたりの脈拍情報が基準脈拍情報の値よりも大きいか否かを判定する（ステップＳ５）。脈拍センサ１３から出力された入居者の単位時間あたりの脈拍情報が基準脈拍情報の値よりも大きいと脈拍判定部１６にて判断した場合には（ステップＳ５にてＹＥＳ）、ステップＳ１の処理に戻る。一方、脈拍センサ１３から出力された入居者の単位時間あたりの脈拍情報が基準脈拍情報の値以下であると脈拍判定部１６にて判断した場合には（ステップＳ５にてＮＯ）、制御部１１は、呼出信号を生成し、Ｉ／Ｆ部１７は、受信機２０を介して監視装置３０へ制御部１１にて生成された呼出信号を送信し（ステップＳ６）、ステップＳ１２の処理に移行する。
【００３０】
また、監視装置３０では、監視装置用制御部３１は、監視装置用Ｉ／Ｆ部３２が受信機２０を介して無線端末１０から送信された呼出信号を受信したか否かを判定する（ステップＳ７）。呼出信号を受信していないと監視装置用制御部３１にて判断した場合には（ステップＳ７にてＮＯ）、ステップＳ７の処理を繰り返す。一方、呼出信号を受信したと監視装置用制御部３１にて判断した場合には（ステップＳ７にてＹＥＳ）、監視装置用制御部３１は、受信した呼出信号に含まれる端末識別情報および受信機識別情報を取得し、取得した端末識別情報に対応付けて図示しない監視装置用記憶部に記憶されている入居者情報を取得して呼出信号を送信した無線端末１０を携行する入居者を特定するとともに、取得した受信機識別情報に対応付けて図示しない監視装置用記憶部に記憶されている場所情報を取得して呼出信号を受信した受信機２０が設置されている場所を特定する（ステップＳ８）。
【００３１】
呼出信号を送信した無線端末１０を携行する入居者および信号を受信した受信機２０が設置されている場所を特定すると、監視装置用制御部１１は、報知部３３を動作させて、特定した無線端末１０を携行する入居者および信号を受信した受信機２０が設置されている場所を表示させて、入居者が転倒したことを報知する（ステップＳ９）。
【００３２】
監視装置用制御部３１は、監視装置用リセット操作部の操作によりリセット操作が行われたか否かを判定する（ステップＳ１０）。監視装置用リセット操作部の操作によりリセット操作が行われていないと監視装置用制御部３１にて判断した場合には（ステップＳ１０にてＮＯ）、ステップＳ１０の処理を繰り返す。一方、監視装置用リセット操作部の操作によりリセット操作が行われたと監視装置用制御部３１にて判断した場合には（ステップＳ１０にてＹＥＳ）、監視装置用制御部３１は、報知部３３の動作を停止させて報知を停止し（ステップＳ１１）、ステップＳ７の処理に戻る。
【００３３】
ステップＳ１２では、無線端末１０の制御部１１は、リセット操作部の操作によりリセット操作が行われたか否かを判定する。リセット操作部の操作によりリセット操作が行われていないと制御部１１にて判断した場合には（ステップＳ１２にてＮＯ）、ステップＳ１２の処理を繰り返す。一方、リセット操作部の操作によりリセット操作が行われたと制御部１１にて判断した場合には（ステップＳ１２にてＹＥＳ）、制御部３１は、自装置の動作をリセットして（ステップＳ１３）、ステップＳ１の処理に戻る。
【００３４】
以上、詳しく説明したように、本実施形態の無線端末１０では、加速度センサ１２から出力された加速度情報が記憶部１４に予め記憶しておいた基準加速度情報の値以上であると加速度判定部１５にて判断した場合には、制御部１１は、脈拍判定部１６を動作させるとともに、脈拍センサ１３から出力された入居者の単位時間あたりの脈拍情報を取得し、記憶部１４に予め記憶しておいた基準脈拍情報を取得する。脈拍判定部１６は、脈拍センサ１３から出力された入居者の単位時間あたりの脈拍情報と記憶部１４に予め記憶しておいた基準脈拍情報とを比較する。比較した結果、脈拍センサ１３から出力された入居者の単位時間あたりの脈拍情報が記憶部１４に予め記憶しておいた基準脈拍情報の値よりも大きいと脈拍判定部１６にて判断した場合に、制御部１１は、脈拍判定部１６による判定処理を終了させる。一方、脈拍センサ１３から出力された入居者の単位時間あたりの脈拍情報が記憶部１４に予め記憶しておいた基準脈拍情報の値以下であると脈拍判定部１６にて判断した場合に、制御部１１は、呼出信号を生成して、Ｉ／Ｆ部１７は、受信機２０を介して監視装置３０へ制御部１１にて生成された呼出信号を送信している。これにより、入居者が転倒したことをできる限り正確に判定して管理人へ知らせることができる。
【００３５】
なお、前述した実施形態では、記憶部１４、加速度判定部１５、脈拍判定部１６は、無線端末１０に備えられているが、これに限定されない。例えば、記憶部１４、加速度判定部１５、脈拍判定部１６は、受信機２０または監視装置３０に備えられていても良い。要は、加速度センサ１２および脈拍センサ１３が入居者に装着されていれば、その他の各構成要素は、無線端末１０に備えられていなくても良い。
【００３６】
また、前述した実施形態では、監視装置３０が入居者の転倒を報知しているが、これに限定されない。例えば、入居者の転倒を無線端末１０で報知するようにしても良い。
【００３７】
また、前述した実施形態では、監視システムは、高齢者用住宅などで使用されているが、これに限定されない。例えば、監視システムは、病院やその他の施設などで使用されるようにしても良い。
【００３８】
その他、無線端末の構成、処理手順、内容等についても、この発明の要旨を逸脱しない範囲で種々変形して実施することができる。また、上記実施形態に開示されている複数の構成要素の組み合わせにより種々の発明を形成することができる。例えば、実施形態に示される全構成要素からいくつかの構成要素を削除するようにしても良い。さらに、異なる実施形態に亘る構成要素を適宜組み合わせるようにしても良い。
【図面の簡単な説明】
【００３９】
【図１】本実施形態による無線端末を含む監視システムの構成例を示すブロック図である。
【図２】本実施形態による無線端末を含む監視システムの動作を示すフローチャートである。
【符号の説明】
【００４０】
１０    無線端末
１１    制御部
１２    加速度センサ
１３    脈拍センサ
１４    記憶部
１５    加速度判定部
１６    脈拍判定部
１７    インターフェース（Ｉ／Ｆ）部
２０    受信機
３０    監視装置
３１    監視装置用制御部
３２    監視装置用インターフェース（Ｉ／Ｆ）部
３３    報知部
【図１】
2010108368.tif 000003
【図２】
2010108368.tif 000004